(57)【要約】【課題】建築廃材，森林間伐材，街路樹剪定材等の木質廃材は，ＣＯ２やダイオキシン発生の問題の為焼却困難となり，野積みされている。然し，野積みの場所にも限界があり，再利用可能な処理が要求されていた。【解決手段】本発明は，木質廃材を粉砕してチップ化し，そのチップを炭化して有効利用するとともに，炭化炉から排出されるガスを改質してガスエンジンを駆動し，そのエンジンで発電機を回して発電する。これにより，建築廃材，森林間伐材，街路樹剪定材等の木質廃材も減少し，野積みの場所が有効利用出来るようになる。【選択図】        図１
2004351404.tif 000002
【特許請求の範囲】
【請求項１】
木質廃材を粉砕しチップ化する手段，同チップを炭化する手段，同炭化手段からの排出ガスを改質する手段，同改質ガスを冷却する手段，同冷却ガスを除湿し，除塵する手段，同除湿除塵ガスで駆動されるガスエンジン，同ガスエンジンで駆動される発電機を備えたことを特徴とする木質廃材の有効利用システム
【請求項２】
前記炭化手段からの排出ガスの改質手段は，前記炭化手段で炭化された炭の燃焼によって加熱され，前記冷却手段で発生した水蒸気が用いられることを特徴とする請求項１記載の木質廃材の有効利用システム
【請求項３】
前記チップを水蒸気蒸留して精油を抽出した後前記炭化手段へ供給することを特徴とする請求項１，２記載の木質廃材の有効利用システム
【請求項４】
前記炭化手段で炭化された炭を，前記改質手段から排出される高温の空気と水蒸気を用いて活性炭化することを特徴とする請求項１，２，３記載の木質廃材の有効利用システム
【請求項５】
前記改質ガスの除湿手段で凝縮した液体を真空蒸留して，薬剤を精製することを特徴とする請求項１，２，３，４記載の木質廃材の有効利用システム
【請求項６】
前記チップと前記炭を緑化基盤材に用いることを特徴とする請求項１，２，３，４，５記載の木質廃材の有効利用システム
【発明の詳細な説明】
【０００１】
【発明が属する技術分野】
本発明は，建築廃材，森林間伐材，街路樹剪定材等の木質廃材を有効に利用するシステムに関するものである。
【０００２】
【従来の技術】
建築廃材，森林間伐材，街路樹剪定材等の木質廃材は焼却処理されていたが，ＣＯ２やダイオキシンの発生が問題となって，焼却困難となり一部の再利用分を除き大部分は野積みされたままとなっている。
【０００３】
【発明が解決しようとする課題】
ところが，建築廃材，森林間伐材，街路樹剪定材等の木質廃材は増加し，野積み状態にするのにも場所的に限界があり，何らかの処理，好ましくは再利用可能な処理が要求されていた。
【０００４】
【課題を解決するための手段】
本発明の請求項１に係る発明は，木質廃材を粉砕しチップ化する手段，同チップを炭化する手段，同炭化手段からの排出ガスを改質する手段，同改質ガスを冷却する手段，同冷却ガスを除湿し，除塵する手段，同除湿除塵ガスで駆動されるガスエンジン，同ガスエンジンで駆動される発電機を備えたものである。これによって，木質廃材を粉砕してチップ化し，そのチップを炭化して有効利用するとともに，炭化炉から排出されるガスを改質し，除湿，除塵し，そのガスでガスエンジンを駆動して発電機を回し，発電する。
【０００５】
本発明の請求項２に係る発明では，前記炭化手段からの排出ガスの改質手段は，前記炭化手段で炭化された炭の燃焼によって加熱され，前記冷却手段で発生した水蒸気が用いられる。
【０００６】
本発明の請求項３に係る発明では，前記チップを水蒸気蒸留して精油を抽出した後前記炭化手段へ供給する。
【０００７】
本発明の請求項４に係る発明では，前記炭化手段で炭化された炭を，前記改質手段から排出される高温の空気と水蒸気を用いて活性炭化する。
【０００８】
本発明の請求項５に係る発明では，前記改質ガスの除湿手段で凝縮した液体を真空蒸留して，薬剤を精製する。
【０００９】
本発明の請求項６に係る発明では，前記チップと前記炭を緑化基盤材に用いる。
【００１０】
【発明の実施の形態】
図１を用いて，本発明の実施の形態としての第１から第６の実施例を説明する。これによって，建築廃材，森林間伐材，街路樹剪定材等の木質廃材が全て有効に利用されることになる。
【００１１】
【実施例】
先ず第１の実施例を説明する。２ａはハンマークラッシャー等の粉砕機，４ａはロータリーキルン等の炭化炉，７は炭化炉４ａからの排出ガスの改質炉，１０は冷却器，１１はガス精製装置，１２はガスエンジン，１３はガスエンジン１２と直結する発電機である。
【００１２】
建築廃材等の古い木質廃材１ａは，粉砕機２ａで粉砕されてチップ化される。チップ３ａは篩にかけられ，篩下の微粉はバーク堆肥２４と成し，篩上の粗粉は炭化炉４ａへ送られ炭化される。炭化された炭５ａは，前記バーク堆肥２４，牛糞堆肥等の家畜糞堆肥，ピートモス等と混合して緑化基盤材２５等として利用される。炭化炉４ａからの排出ガス６は，ＣＯを主成分とする可燃性ガスで，改質炉７へ送られる。改質炉７へは水蒸気９ａと空気９ｂが送られるとともに，炭化炉４ａから送られる炭５ｂを燃焼して加熱され，高温となった空気・水蒸気によって排出ガス６中の硫黄分等が除去されて改質される。改質ガス８は，冷却器１０で冷却されるが，その時冷却水１２が蒸発して水蒸気９ａとなり，前述のように改質炉７へ送られ利用される。冷却器１０を出た改質ガス８は，更にガス精製装置１１へ送られ，冷却除湿されると共に，バグフィルター等で微粉が除去されてガスエンジン１２へ送られてこれを駆動し，これに直結した発電機１３を回して発電する。
【００１３】
本実施例の効果は次のとおりである。（１）建築廃材等の木質廃材が減少し，野積みの場所が少なくて済み，他に有効利用出来るようになる。（２）炭化された炭は，バーク堆肥，牛糞堆肥等の家畜糞堆肥，ピートモスと混合し緑化基盤材等として利用される。（３）炭化炉からの排出ガスは改質されて，ガスエンジンを駆動して発電する。
【００１４】
次いで第２の実施例を説明する。１４は水蒸気蒸留器，１５は冷却器，１７は乾燥器，４ｂは炭化炉，１８は活性炭製造装置である。その他の構成は第１の実施例と同様なので説明を省略する。
【００１５】
森林間伐材，街路樹剪定材等のバージン木質の廃材１ｂは，粉砕機２ｂで粉砕されてチップ化される。チップ３ｂは水蒸気蒸留器１４で蒸気加熱され，蒸発した木液は冷却器１５で冷却後比重差によって水と分離され，精油１６が精製される。蒸気加熱処理後のチップ３ｂは乾燥器１７で乾燥され，一部はバーク堆肥２４となり，他は炭化炉４ｂへ送られて炭化される。炭化された炭５ｂは，活性炭製造装置１８において，改質炉７から送られる高温の空気・水蒸気によって賦活され，活性炭１９が製造される。その他の作用は第１の実施例と同様なので説明を省略する。
【００１６】
本実施例には，第１の実施例の効果に加えて次のような効果がある。（１）精製された精油は，ディーゼルエンジン排ガスの無害化等に利用される。（２）製造された活性炭は，ろ過材，乾燥材，脱臭剤等として利用される。
【００１７】
最後に，第３の実施例を説明する。２１は真空蒸発器である。その他の構成は第１，第２の実施例と同様なので説明を省略する。
【００１８】
ガス精製装置１１へ送られた改質ガスは，前述のように除塵及び冷却除湿されるが，除湿の際の凝縮水２０は，真空蒸発器２１で精製され薬剤２３が回収される。その他の作用は第１，第２の実施例と同様なので説明を省略する。
【００１９】
本実施例には，第１第２の実施例の効果に加えて次のような効果がある。精製された薬剤は，殺虫剤，防腐剤等として利用される。
【００２０】
【発明の効果】
以上説明したように本発明の木質廃材の有効利用システムは，建築廃材，森林間伐材，街路樹剪定材等の木質廃材を粉砕チップ化して炭化する。炭化された炭は，バーク堆肥，家畜糞堆肥，ピートモス，等と混合されて緑化基盤材等として利用される。炭化炉からの排出ガスは，高温の空気・水蒸気によって改質され，ガスエンジンを駆動し，これに直結する発電機を回して発電する。更に，森林間伐材，街路樹剪定材等のバージン木質廃材のチップからは精油が精製され，その炭からは活性炭が造られる。又炭化炉からの排出ガスは，改質後冷却除湿されるが，その際の凝縮水からは殺虫剤等の薬剤が精製される。このように本発明よれば，（１）建築廃材等の木質廃材が減少し，野積みの場所が他の用途に有効利用出来るようになる。（２）炭化された炭は，バーク堆肥，家畜糞堆肥，ピートモス等と混合して緑化基盤材等として利用される。（３）炭化炉からの排出ガスは，改質されてガスエンジンを駆動して発電する。（４）精製された精油は，ディーゼルエンジンの排ガスの無害化等に利用される。（５）製造された活性炭は，ろ過材，乾燥材，脱臭剤等として利用される。（６）精製された薬剤は殺虫剤，防腐剤として利用される。等，産業上極めて大きな効果が得られる。
【図面の簡単な説明】
【図１】本本発明の実施例の概念図である。
【符号の説明】
１ａ・・・・建築廃材等の古い木質廃材
１ｂ・・・・森林間伐材，街路樹剪定材等の新しい木質廃材
２ａ・・・・粉砕機
２ｂ・・・・粉砕機
３ａ・・・・古い木質廃材のチップ
３ｂ・・・・新しい木質廃材のチップ
４ａ・・・・炭化炉
４ｂ・・・・炭化炉
５ａ・・・・古い木質廃材から炭化された炭
５ｂ・・・・新しい木質廃材から炭化された炭
６・・・・・炭化炉からの排出ガス
７・・・・・改質炉
８・・・・・改質ガス
１０・・・・・冷却器
１１・・・・・ガス精製装置
１２・・・・・ガスエンジン
１３・・・・・発電機
１４・・・・・水蒸気蒸留器
１５・・・・・冷却器
１６・・・・・精油
１７・・・・・乾燥器
１８・・・・・活性炭製造装置
１９・・・・・活性炭
２０・・・・・凝縮水
２１・・・・・真空蒸発器
２３・・・・・殺虫剤等の薬剤
２４・・・・・バーク堆肥
２５・・・・・緑化基盤材
【図１】
2004351404.tif 000003